【手続補正書】
【提出日】平成16年2月10日(2004.2.10)
【手続補正１】
【補正対象書類名】明細書
【補正対象項目名】全文
【補正方法】変更
【補正の内容】
【発明の名称】オーディオディスク及びその再生装置
【特許請求の範囲】
【請求項１】補助信号の記録領域と主信号の記録領域とが連続して配置されて前記主信号の記録領域に、
マルチチャネルのアナログ音声信号がマルチチャネルの第１のグループと第２のグループにグループ化されて第１のグループと第２のグループ毎に異なるサンプリング周波数で量子化されたデジタル音声信号として記録され、更に、前記マルチチャネルと同一又は異なるサンプリング周波数で量子化され、ステレオ用の２チャネルのデジタル音声信号として記録されるオーディオパックと、
前記オーディオパックで構成されるオーディオタイトルと、
前記オーディオパックに記録されているデジタル音声信号の第１のグループのチャネルと第２のグループのチャネルのグループ毎のサンプリング周波数が記録される量子化制御情報エリアと、
前記オーディオタイトルのメニュー用の言語制御データが記録されるオーディオ・マネージャ・メニュー言語ユニットのエリア（ＡＭＧＭ−ＬＵ＃１〜＃ｎ；ｎは整数）を含むオーディオ・マネージャ・メニュー情報管理のエリア（ＡＭＧＭ−ＰＧＣＩ−ＵＴ）と、
前記オーディオ・マネージャ・メニュー情報管理のエリア（ＡＭＧＭ−ＰＧＣＩ−ＵＴ）を含むオーディオ・マネージャ・インフォーメーション（ＡＭＧＩ）と、
前記オーディオ・マネージャ・インフォーメーション（ＡＭＧＩ）を含むオーディオ・マネージャ（ＡＭＧ）とを、
所定のフォーマットにより記録したオーディオディスク。
【請求項２】請求項１記載のオーディオディスクに記録された信号を再生するオーディオディスク再生装置であって、
前記量子化制御情報エリアに記録されているデジタル音声信号の第１のグループと第２のグループのサンプリング周波数に基づいて、前記オーディオパックに記録されている第１のグループのチャネルと第２のグループのチャネルのデジタル音声信号をＤ／Ａ変換する手段と、
前記オーディオ・マネージャ・メニュー言語ユニットに基づいて前記オーディオタイトルのメニューを再生する手段とを、
有するオーディオディスク再生装置。
【発明の詳細な説明】
【０００１】
【発明の属する技術分野】
本発明は、オーディオディスク及びその再生装置に関する。
【０００２】
【従来の技術】
従来のオーディオ再生用光ディスクとしてはＣＤ（コンパクトディスク）が知られている。また、ＣＤより高密度な光ディスクとしてＤＶＤ（デジタルビデオディスク）が知られている。
【０００３】
【発明が解決しようとする課題】
しかしながら、ＤＶＤ（以下、ＤＶＤ−ビデオ）ではビデオ信号が主、オーディオ信号が従として記録されるので、次のような問題点がある。
（１）オーディオ信号がビデオ信号と一体化されており、オーディオ信号の記録容量が少ない。
（２）オーディオ信号の時間を管理することができない。
（３）曲名などの簡単な文字情報を取り出すことができない。
【０００４】
また、ビデオに比べて、オーディオのユーザは使い方の層が幅広いので、ＣＤのようにＴＯＣ（テーブルオブコンテント）の領域を設けることにより簡易な再生方法が求められる。しかしながら、ＤＶＤ−ビデオでは、ナビゲーションコントロールパック（ＣＯＮＴパック）と複数のビデオ（Ｖ）パック及びオーディオ（Ａ）パックによりビデオコンテンツブロックユニットを構成してＶ、Ａパックの再生などをＣＯＮＴパックにより制御するので、オーディオ信号を主として記録しようとしてもユーザにとって簡易に再生することができず、使い勝手が悪いという問題点がある。
また、ＤＶＤ−ビデオでは、時間管理をビデオフレーム単位でのみ行うので、オーディオ信号を主として記録しようとしても、ビデオに比べてオーディオ信号は連続性が重要であるので実時間の管理が困難であるという問題点がある。
さらに、現在では、ＤＶＤビデオディスクとそれ専用のＤＶＤビデオ再生機が市販され、この再生機はＤＶＤビデオディスクの他に、音楽ＣＤやビデオＣＤを再生することができるが、ユーザにとっては、オーディオ信号を主として記録したＤＶＤオーディオディスクの他に各種のＤＶＤを再生することができる再生機の方が望ましい。
【０００５】
そこで、本発明は、オーディオ信号を主として記録する場合にユーザにとって簡易に再生することができて使い勝手がよいオーディオディスクの再生装置を提供することを目的とする。
また本発明は、ＤＶＤ−ビデオディスクとオーディオ信号を主として記録したオーディオディスクの両方を再生することができるオーディオディスクの再生装置を提供することを目的とする。
【０００６】
【課題を解決するための手段】
本発明は上記目的を達成するために、以下の１）及び２）の手段より成る。
すなわち、
１）補助信号の記録領域と主信号の記録領域とが連続して配置されて前記主信号の記録領域に、
マルチチャネルのアナログ音声信号がマルチチャネルの第１のグループと第２のグループにグループ化されて第１のグループと第２のグループ毎に異なるサンプリング周波数で量子化されたデジタル音声信号として記録され、更に、前記マルチチャネルと同一又は異なるサンプリング周波数で量子化され、ステレオ用の２チャネルのデジタル音声信号として記録されるオーディオパックと、
前記オーディオパックで構成されるオーディオタイトルと、
前記オーディオパックに記録されているデジタル音声信号の第１のグループのチャネルと第２のグループのチャネルのグループ毎のサンプリング周波数が記録される量子化制御情報エリアと、
前記オーディオタイトルのメニュー用の言語制御データが記録されるオーディオ・マネージャ・メニュー言語ユニットのエリア（ＡＭＧＭ−ＬＵ＃１〜＃ｎ；ｎは整数）を含むオーディオ・マネージャ・メニュー情報管理のエリア（ＡＭＧＭ−ＰＧＣＩ−ＵＴ）と、
前記オーディオ・マネージャ・メニュー情報管理のエリア（ＡＭＧＭ−ＰＧＣＩ−ＵＴ）を含むオーディオ・マネージャ・インフォーメーション（ＡＭＧＩ）と、
前記オーディオ・マネージャ・インフォーメーション（ＡＭＧＩ）を含むオーディオ・マネージャ（ＡＭＧ）とを、
所定のフォーマットにより記録したオーディオディスク。
２）請求項１記載のオーディオディスクに記録された信号を再生するオーディオディスク再生装置であって、
前記量子化制御情報エリアに記録されているデジタル音声信号の第１のグループと第２のグループのサンプリング周波数に基づいて、前記オーディオパックに記録されている第１のグループのチャネルと第２のグループのチャネルのデジタル音声信号をＤ／Ａ変換する手段と、
前記オーディオ・マネージャ・メニュー言語ユニットに基づいて前記オーディオタイトルのメニューを再生する手段とを、
有するオーディオディスク再生装置。
【０００７】
【発明の実施の形態】
以下、図面を参照して本発明の実施の形態を説明する。なお、所定規格として、ＤＶＤビデオ規格を例にとり説明する。図１はＤＶＤ−ビデオのフォーマットと、本発明に係るＤＶＤ−オーディオのフォーマットの一実施形態を示す説明図、図２は図１のオーディオマネージャ（ＡＭＧ）のフォーマットを詳しく示す説明図、図３は図１のオーディオタイトルセット（ＡＴＳ）のフォーマットを詳しく示す説明図、図４は図２のオーディオマネージャインフォメーション（ＡＭＧＩ）のフォーマットを詳しく示す説明図、図５は図４のオーディオタイトルセット・アトリビュートテーブル（ＡＴＳ−ＡＴＲＴ）のフォーマットを詳しく示す説明図、図６は図５のオーディオタイトルセット・アトリビュートデータ（ＡＴＳ−ＡＴＲ）のフォーマットを詳しく示す説明図、図７は図３のオーディオタイトルセットインフォメーション（ＡＴＳＩ）のフォーマットを詳しく示す説明図、図８は図７のオーディオタイトルセットインフォメーション・マネージメントテーブル（ＡＴＳＩ−ＭＡＴ）のフォーマットを詳しく示す説明図、図９は図８のオーディオタイトルセットメニュー・オーディオストリーム・アトリビュートデータ（ＡＴＳＭ−ＡＳＴ−ＡＴＲ）を詳しく示す説明図、図１０は図８のオーディオタイトルセット・オーディオストリーム・アトリビュートテーブル（ＡＴＳ−ＡＳＴ−ＡＴＲＴ）のフォーマットを詳しく示す説明図、図１１は図１０の各オーディオストリームのアトリビュートデータ（ＡＴＳ−ＡＳＴ−ＡＴＲ）を詳しく示す説明図である。
また、図１２は図１のオーディオコンテンツブロックユニット（ＡＣＢＵ）を示す説明図、図１３は図１２のオーディオパックとビデオパックのフォーマットを詳しく示す説明図、図１４は図１２のオーディオコントロール（Ａ−ＣＯＮＴ）パックのフォーマットを詳しく示す説明図、図１５は図１４のオーディオキャラクタディスプレイ（ＡＣＤ）エリアのフォーマットを詳しく示す説明図、図１６は図１５のネームスペース情報により表示される例を示す説明図、図１７は図１４のオーディオサーチデータ（ＡＳＤ）エリアのフォーマットを詳しく示す説明図、図１８は図１のオーディオコンテンツブロックユニットの変形例を示す説明図である。
また、図１９は本発明に係るＤＶＤ−オーディオディスクの再生装置を示すブロック図、図２０は図１９の再生装置を機能的に示すブロック図、図２１は第２の実施形態におけるオーディオマネージャインフォメーション（ＡＭＧＩ）のフォーマットを詳しく示す説明図、図２２は図２１のＴＯＣ情報を詳しく示す説明図、図２３は第２の実施形態の変形例におけるオーディオタイトルセットインフォメーション（ＡＴＳＩ）のフォーマットを詳しく示す説明図、図２４は第２の実施形態のＤＶＤ−オーディオディスクの再生装置を示すブロック図、図２５は図２４の再生装置を機能的に示すブロック図、図２６は第３の実施形態におけるＴＯＣ情報と再生装置を示すブロック図、図２７及び図２８はＡ−Ｖ同期再生処理を説明するためのフローチャートである。
【０００８】
ここで、この説明のＤＶＤ−オーディオディスクには、ＣＤ世代からＤＶＤ−オーディオ世代に移行する際の過渡期に対応するように、オーディオ信号としてステレオ用２チャネルと５／６／８チャネルのマルチチャネルの両方の信号が記録される。また、この過渡期が経過したときには５／６／８チャネルのマルチチャネル信号のみが記録されるようになると考えられる。
【０００９】
図１（ａ）、（ｂ）はそれぞれＤＶＤ−ビデオ、ＤＶＤ−オーディオの各フォーマットを示し、ＤＶＤ−オーディオのフォーマットはエリアの名称が異なるがＤＶＤ−ビデオと互換性を有する。まず、大別してＤＶＤ−ビデオのフォーマットは先頭のビデオマネージャ（ＶＭＧ）と、それに続く複数のビデオタイトルセット（ＶＴＳ）の各エリアにより構成され、他方、ＤＶＤ−オーディオのフォーマットはこれに対応して図２に詳しく示すオーディオマネージャ（ＡＭＧ）と、図３に詳しく示すようにＡＭＧに続く複数のオーディオタイトルセット（ＡＴＳ）の各エリアにより構成されている。
【００１０】
ＶＴＳの各々は先頭のＶＴＳインフォメーション（ＶＴＳＩ）と、それに続く１以上のビデオコンテンツブロックセット（ＶＣＢＳ）と最後のＶＴＳＩにより構成され、他方、ＡＴＳの各々はこれに対応して先頭のＡＴＳインフォメーション（ＡＴＳＩ）と、それに続く１以上のオーディオコンテンツブロックセット（ＡＣＢＳ）と最後のＡＴＳＩにより構成されている。ＡＴＳＩには、ＡＣＢＳ内の各曲の演奏時間が実時間でセットされる。
【００１１】
ＶＣＢＳの各々は複数のＶＣＢにより構成され、他方、ＡＣＢＳの各々は複数のＡＣＢにより構成されている。ＶＣＢの各々はビデオの１タイトル（Ｔｉｔｌｅ）分であり、ＡＣＢの各々はこれに対応してオーディオの１タイトル分である。ＶＣＢの各々（１タイトル）は複数のチャプタ（Ｃｈａｐｔｅｒ）により構成され、他方、ＡＣＢの各々（１タイトル）はこれに対応して複数のトラック（Ｔｒａｃｋ）により構成されている。チャプタはパートオブタイトル（ＰＴＴ）を含み、トラックはパートオブタイトル（ＰＴＴ）を含む。
【００１２】
チャプタの各々は複数のセル（ＣＥＬＬ）により構成され、他方、トラックの各々はこれに対応して複数のインデックス（Ｉｎｄｅｘ）により構成されている。セルの各々は複数のＶＣＢユニット（ＶＣＢＵ）により構成され、他方、インデックスの各々はこれに対応して複数のＡＣＢユニット（ＡＣＢＵ）により構成されている。ＶＣＢユニットとＡＣＢユニットの各々は、複数のパックにより構成され、１パックは２０４８バイトで構成されている。
【００１３】
ＶＣＢユニットの各々は、先頭のコントロールパック（以下、ＣＯＮＴパック）と、それに続く複数のビデオ（Ｖ）パック、オーディオ（Ａ）パック及びサブピクチャ（ＳＰ）パックにより構成され、他方、ＡＣＢユニットの各々は、これに対応して先頭のオーディオコントロールパック（以下、Ａ−ＣＯＮＴパック）と、それに続く複数のＡパックとＶパックにより構成されている。
【００１４】
ＣＯＮＴパックには後続のＶパックを制御する情報が配置され、Ａ−ＣＯＮＴパックにはＣＤのＴＯＣ情報のように後続のＡパックのオーディオ信号を管理するための情報が配置される。Ａパックにはオーディオデータが配置され、Ｖパックにはビデオデータの他、オーディオデータ以外の例えばクローズドキャプション（ＣＣ）データが配置される。
【００１５】
ＡＭＧ（オーディオマネージャ）は図２に示すように、
・図４に詳しく示すオーディオマネージャインフォメーション（ＡＭＧＩ）と、、
・ＡＭＧメニュー用のオーディオコンテンツブロックセット（ＡＭＧＭ−ＡＣＢＳ）と
・バックアップ用のＡＭＧＩ
を有する。ＡＭＧＭ−ＡＣＢＳはコントロール情報として
・プレゼンテーションコントロールインフォメーション（ＰＣＩ）と
・データサーチインフォメーション（ＤＳＩ）
を有する。
【００１６】
ＡＴＳ（オーディオタイトルセット）は図３に示すように、
・図７に詳しく示すオーディオタイトルセットインフォメーション（ＡＴＳＩ）と、
・ＡＴＳメニュー用のオーディオコンテンツブロックセット（ＡＴＳＭ−ＡＣＢＳ）と、
・ＡＴＳタイトル用のオーディオコンテンツブロックセット（ＡＴＳＡ−ＡＣＢＳ）と
・バックアップ用のＡＴＳＩ
を有する。ＡＴＳＭ−ＡＣＢＳとＡＴＳＡ−ＡＣＢＳは共に、前述（図２）したＰＣＩとＤＳＩを有する。
【００１７】
ＡＭＧＩ（オーディオマネージャインフォメーション）は図４に詳しく示すように、
・ＡＭＧＩのマネージメントテーブル（ＡＭＧＩ−ＭＡＴ）と、
・タイトルのサーチポインタテーブル（Ｔ−ＳＲＰＴ）と、
・オーディオマネージャメニューＰＧＣＩユニットテーブル（ＡＭＧＭ−ＰＧＣＩ−ＵＴ）と、
・ペアレンタルマネージメントインフォメーションテーブル（ＰＴＬ−ＭＡＩＴ）と、
・図５に詳しくオーディオタイトルセット・アトリビュートテーブル（ＡＴＳ−ＡＴＲＴ）と、
・テキストデータマネージャ（ＴＸＴＤＴ−ＭＧ）と、
・オーディオマネージャメニューセル（インデックス）アドレステーブル（ＡＭＧＭ−Ｃ−ＡＤＴ）と、
・オーディオマネージャメニュー・オーディオコンテンツブロックユニット・アドレスレスマップ（ＡＭＧＭ−ＡＣＢＵ−ＡＤＭＡＰ）
を有する。
【００１８】
ＡＴＳ−ＡＴＲＴ（オーディオタイトルセット・アトリビュートテーブル）は図５に詳しく示すように、
・オーディオタイトルセットアトリビュートテーブルインフォメーション（ＡＴＳ−ＡＴＲＴＩ）と、
・複数（ｎ）個のＡＴＳの各々のオーディオタイトルセットアトリビュートサーチポインタ（ＡＴＳ−ＡＴＲ−ＳＲＰ＃１〜＃ｎ）と
・図６に詳しく示すような複数（ｎ）個のＡＴＳの各々のオーディオタイトルセット・アトリビュートデータ（ＡＴＳ−ＡＴＲ−＃１〜＃ｎ）
を有する。
【００１９】
オーディオタイトルセット・アトリビュートデータ（ＡＴＳ−ＡＴＲ−＃１〜＃ｎ）の各々は、図６に詳しく示すように
・ＡＴＳ−ＡＴＲ−ＥＡ（エンドアドレス）と、
・ＡＴＳ−ＣＡＴ（カテゴリー）と
・ＡＴＳ−ＡＴＲＩ（インフォメーション）
を有する。
【００２０】
図３に示すＡＴＳＩ（ＡＴＳインフォメーション）は図７に詳しく示すように、
・図８に詳しく示すオーディオタイトルセットインフォメーション・マネージメントテーブル（ＡＴＳＩ−ＭＡＴ）と、
・オーディオタイトルセット・パートオブタイトル・サーチポインタテーブル（ＡＴＳ−ＰＴＡ−ＳＲＰＴ）と、
・オーディオタイトルセット・プログラムチェーンインフォメーションテーブル（ＡＴＳ−ＰＧＣＩＴ）と、
・オーディオタイトルセットメニュー・ＰＧＣＩ・ユニットテーブル（ＡＴＳＭ−ＰＧＣＩ−ＵＴ）と、
・オーディオタイトルセット・タイムマップテーブル（ＡＴＳ−ＴＭＡＰＴ）と、
・オーディオタイトルセットメニュー・セル・アドレステーブル（ＡＴＳＭ−Ｃ−ＡＤＴ）と、
・オーディオタイトルセットメニュー・オーディオコンテンツブロックユニット・アドレスマップ（ＡＴＳＭ−ＡＣＢＵ−ＡＤＭＡＰ）と、
・オーディオタイトルセット・セル・アドレステーブル（ＡＴＳ−Ｃ−ＡＤＴ）と、
・オーディオタイトルセット・オーディオコンテンツブロックユニット・アドレスマップ（ＡＴＳ−ＡＣＢＵ−ＡＤＭＡＰ）
を有する。
【００２１】
図７に示すＡＴＳＩ−ＭＡＴ（オーディオタイトルセットインフォメーション・マネージメントテーブル）は図８に詳しく示すように、
・ＡＴＳ−ＩＤ（識別子）と、
・ＡＴＳ−ＥＡ（エンドアドレス）と、
・ＡＴＳＩ−ＥＡと、
・ＶＥＲＮ（ＤＶＤオーディオスペックのバージョン番号）と、
・ＡＴＳ−ＣＡＴ（カテゴリー）と、
・ＡＴＳＩ−ＭＡＴ−ＥＡと、
・ＡＴＳＭ−ＡＣＢＳ−ＳＡ（スタートアドレス）と、
・ＡＴＳＡ−ＡＣＢＳ−ＳＡと、
・ＡＴＳ−ＰＴＡ−ＳＲＰＴ−ＳＡと、
・ＡＴＳ−ＰＧＣＩＴ−ＳＡと、
・ＡＴＳＭ−ＰＧＣＩ−ＵＴ−ＳＡと、
・ＡＴＳ−ＴＭＡＰ−ＳＡと、
・ＡＴＳＭ−Ｃ−ＡＤＴ−ＳＡと、
・ＡＴＳＭ−ＡＣＢＵ−ＡＤＭＡＰ−ＳＡと、
・図９に詳しく示すようなＡＴＳＭ−ＡＳＴ−ＡＴＲ（ＡＴＳＭのオーディオストリーム・アトリビュートデータ）と、
・ＡＴＳ−ＡＳＴ−Ｎｓ（ＡＴＳのオーディオストリームの数）と、
・図１０に詳しく示すようなＡＴＳ−ＡＳＴ−ＡＴＲＴ（ＡＴＳのオーディオストリーム・アトリビュートテーブル）
を有する。
【００２２】
ＡＴＳＭ−ＡＳＴ−ＡＴＲは図９に詳しく示すように８バイト（ビットｂ６３〜ｂ０）により構成され、このディスクに記録されている符号化オーディオ信号の属性として次のようなデータ（１）〜（４）が配置される（他のビットは保留）。
（１）オーディオ符号化モード（３ビットｂ６３〜ｂ６１）
０００ｂ：ドルビーＡＣ−３
０１０ｂ：ＭＰＥＧ−１又はＭＰＥＧ−２（拡張ビットストリーム無し）
０１１ｂ：ＭＰＥＧ−２（拡張ビットストリーム有り）
１００ｂ：リニヤＰＣＭオーディオ
１０１ｂ：リニヤＰＣＭオーディオ（２ch＋５ch、２ch＋６ch、２ch＋８chを含む。）
【００２３】
（２）量子化／ＤＲＣ（ダイナミックレンジコントロール）情報（２ビットｂ５５、ｂ５４）
・オーディオ符号化モードが「０００ｂ」の場合には「１１ｂ」
・オーディオ符号化モードが「０１０ｂ」又は「０１１ｂ」の場合、
００ｂ：ＭＰＥＧオーディオストリーム内にダイナミックレンジコントロールデータが存在しない
０１ｂ：ＭＰＥＧオーディオストリーム内にダイナミックレンジコントロールデータが存在する
１０ｂ，１１ｂ：保留
・オーディオ符号化モードが「１００ｂ」、「１０１ｂ」の場合、ステレオ２chに対して
００ｂ：１６ビット
０１ｂ：２０ビット
１０ｂ：２４ビット
１１ｂ：保留
【００２４】
（３）サンプリング周波数ｆｓ（２ビットｂ５３、ｂ５２）
ステレオ２chに対して
００ｂ：４８ｋＨｚ
０１ｂ：９６ｋＨｚ
１０ｂ：１９２ｋＨｚ
（４）オーディオチャネル数（３ビットｂ５０〜ｂ４８）
０００ｂ：１ch（モノラル）
００１ｂ：２ch（ステレオ）
０１０ｂ：３ch
０１１ｂ：４ch
１００ｂ：（ステレオ２ch＋５ch）
１０１ｂ：（ステレオ２ch＋６ch）
１１０ｂ：７ch
１１１ｂ：（ステレオ２ch＋８ch）
【００２５】
図１０に示すＡＴＳ−ＡＳＴ−ＡＴＲＴ（ＡＴＳのオーディオストリーム・アトリビュートテーブル）は図１１に詳しく示すように、オーディオストリーム＃０〜＃７毎のＡＴＳ−ＡＳＴ−ＡＴＲを有し、ＡＴＳ−ＡＳＴ−ＡＴＲの各々は８バイトで構成されている（合計６４バイト）。
【００２６】
１つのオーディオストリームのＡＴＳ−ＡＳＴ−ＡＴＲは図１１に示すように、図９に示すオーディオタイトルセットメニュー・オーディオストリーム・アトリビュートデータ（ＡＴＳＭ−ＡＳＴ−ＡＴＲ）と同様な８バイト（ビットｂ６３〜ｂ０）で構成され、上記属性データ（１）〜（４）の他に、
（５）マルチチャネル・イクステンション（１ビットｂ６０）と、
（６）オーディオタイプ（２ビットｂ５９、ｂ５８）と、
（７）オーディオアプリケーションモード（２ビットｂ５７、ｂ５６）と、
（８）そのストリーム（ＡＳＴ）の間引き情報（２ビットｂ４７、ｂ４６）と、（９）ＬＦＥ（Low Frequency Effect：低周波効果）１chのみの間引き情報（２ビットｂ４５、ｂ４４）
の各データを有する。そして、このＤＶＤオーディオディスクの（７）オーディオアプリケーションモードには、
１１ｂ：２ch＋サラウンドモード
が記録され、また、（８）そのストリームの間引き情報と、（９）ＬＦＥ１chのみの間引き情報には共に、帯域情報として
００ｂ：フル（１／１）
０１ｂ：ハーフ（１／２）
１０ｂ：クオータ（１／４）
が記録される。
【００２７】
ただし、このＡＴＳＭ−ＡＳＴ−ＡＴＲにおける（４）オーディオチャネル数は、オーディオストリーム＃０では必ず２chとなり、また、オーディオストリーム＃１はフロントの３chを含む。すなわち、例えば１つのタイトルのオーディオ信号を２＋６chで記録する場合、２chのステレオ信号をオーディオストリーム＃０に割り当て、６chの内、３chのフロント信号をオーディオストリーム＃１に割り当て、２chのリヤ信号とＬＦＥ１ch信号をオーディオストリーム＃２に割り当てる。そして、図４に示すオーディオマネージャインフォメーション・マネージメントテーブル（ＡＭＧＩ−ＭＡＴ）と図３に示すオーディオタイトルセットインフォメーション・マネージメントテーブル（ＡＴＳＩ−ＭＡＴ）には共に、ストリーム＃０〜＃２の利用データとして「３」が記録される。
【００２８】
また、この２＋６chのアナログオーディオ信号を例えば次のようなサンプリング周波数ｆｓでサンプリングし、次のような量子化ビット数で量子化して記録する場合、
ステレオ２ch        ：４８ｋＨｚ、２０ビット
フロント３ch        ：９６ｋＨｚ、１６ビット
リヤ２ch、ＬＦＥ１ch：４８ｋＨｚ、１６ビット（間引きなし）
図９に示すオーディオタイトルセットメニュー・オーディオストリーム・アトリビュートデータ（ＡＴＳＭ−ＡＳＴ−ＡＴＲ）にはステレオ２chの属性として
（１）オーディオ符号化モード
１０１ｂ：リニヤＰＣＭオーディオ（２ch＋５ch、２ch＋６ch、２ch＋８chを含む。）
（２）量子化／ＤＲＣ
０１ｂ：２０ビット
（３）サンプリング周波数ｆｓ
００ｂ：４８ｋＨｚ
（４）オーディオチャネル数
１０１ｂ：（ステレオ２ch＋６ch）
が記録される。
【００２９】
また、オーディオストリーム＃０のＡＴＳ−ＡＳＴ−ＡＴＲには
（１）オーディオ符号化モード
１０１ｂ：リニヤＰＣＭオーディオ（２ch＋５ch、２ch＋６ch、２ch＋８chを含む。）
（２）量子化／ＤＲＣ
０１ｂ：２０ビット
（３）サンプリング周波数ｆｓ
００ｂ：４８ｋＨｚ
（４）オーディオチャネル数
００１ｂ：２ch（ステレオ）
（７）オーディオアプリケーションモード
１１ｂ：２ch＋サラウンドモード
（８）そのストリームの間引き情報
００ｂ：フル（１／１）
（９）ＬＦＥ１chのみ間引き情報
００ｂ：フル（１／１）
が記録される。
【００３０】
また、オーディオストリーム＃１のＡＴＳ−ＡＳＴ−ＡＴＲには
（１）オーディオ符号化モード
１０１ｂ：リニヤＰＣＭオーディオ（２ch＋５ch、２ch＋６ch、２ch＋８chを含む。）
（２）量子化／ＤＲＣ
００ｂ：１６ビット
（３）サンプリング周波数ｆｓ
０１ｂ：９６ｋＨｚ
（４）オーディオチャネル数
０１０ｂ：３ch
（７）オーディオアプリケーションモード
１１ｂ：２ch＋サラウンドモード
（８）そのストリームの間引き情報
００ｂ：フル（１／１）
（９）ＬＦＥ１chのみ間引き情報
００ｂ：フル（１／１）
が記録される。
【００３１】
また、オーディオストリーム＃２のＡＴＳ−ＡＳＴ−ＡＴＲには
（１）オーディオ符号化モード
１０１ｂ：リニヤＰＣＭオーディオ（２ch＋５ch、２ch＋６ch、２ch＋８chを含む。）
（２）量子化／ＤＲＣ
００ｂ：１６ビット
（３）サンプリング周波数ｆｓ
００ｂ：４８ｋＨｚ
（４）オーディオチャネル数
０１０ｂ：３ch
（７）オーディオアプリケーションモード
１１ｂ：２ch＋サラウンドモード
（８）そのストリームの間引き情報
００ｂ：フル（１／１）
（９）ＬＦＥ１chのみ間引き情報
００ｂ：フル（１／１）
が記録される。
【００３２】
次に、オーディオストリームが記録されるＡパックとその制御パックについて説明する。図１２に示すようにＶＣＢユニットは０．４〜１．０秒分の任意の数のパックにより構成され、ＡＣＢユニットは０．５〜１．０秒分の任意の数のパックにより構成されている。また、ＤＶＤ−オーディオのＡＣＢユニットにおけるＡ−ＣＯＮＴパックは、ＤＶＤ−ビデオのＶＣＢユニットにおける第３パックに配置される。
【００３３】
Ａ−ＣＯＮＴパックは基本的にオーディオ時間の０．５秒単位に配置され、インデックスの切れ目では０．５〜１．０秒の範囲で完結するように配置される。また、オーディオの時間（ＧＯＦ：Group of Audio Frame単位）はＡ−ＣＯＮＴパックにより示され、そのデータ位置はオーディオフレームナンバと、ファーストアクセスユニットポインタとフレームヘッダの数により決まる。また、Ａ−ＣＯＮＴパック直前のＡパックは、オーディオ時間の０．５秒単位でパディングすることを強制しない。
【００３４】
隣接するＡパックは、オーディオ信号がお互いに関連するように配置され、例えばステレオの場合にはＬチャネルパックとＲチャネルパックが隣接して配置され、また、５／６／８チャネルのマルチチャネルの場合にも同様に隣接して配置される。Ｖパックはオーディオ信号の再生時に映像を表示する場合にそのＡパックに隣接して配置される。ＡパックとＶパックは、図１３に示すように２０３４バイトのユーザデータ（Ａデータ、Ｖデータ）に対して４バイトのパックスタート情報と、６バイトのＳＣＲ（System Clock Reference：システム時刻基準参照値）情報と、３バイトのMux rate情報と１バイトのスタッフィングの合計１４バイトのパックヘッダが付加されて構成されている（１パック＝合計２０４８バイト）。この場合、タイムスタンプであるＳＣＲ情報を、ＡＣＢユニット内の先頭パックでは「１」として同一タイトル内で連続とすることにより同一タイトル内のＡパックの時間を管理することができる。
【００３５】
これに対し、Ａ−ＣＯＮＴパックは図１４に示すように、１４バイトのパックヘッダと、２４バイトのシステムヘッダと、１００３バイトのＡＣＤ（オーディオキャラクタディスプレイ）パケットと、１００７バイトのＡＳＤ（オーディオサーチデータ）パケットにより構成されている。また、ＡＣＤパケットは６バイトのパケットヘッダと、１バイトのサブストリームＩＤと、図１５に詳しく示すような６３６バイトのＡＣＤ（オーディオキャラクタディスプレイ）情報と、３６０バイトの保留エリアにより構成されている。ＡＳＤパケットは同じく６バイトのパケットヘッダ及び１バイトのサブストリームＩＤと、図１７に詳しく示すような１０００バイトのＡＳＤ（オーディオサーチデータ）により構成されている。
【００３６】
６３６バイトのＡＣＤ情報エリアは、図１５に詳しく示すように４８バイトのジェネラル情報エリアと、第１の言語の文字「１」及び第２の言語の文字「２」毎に２９４バイトのエリアを有し、この各エリアは９３バイトのネームスペースエリア、各々９３バイトの２つのフリースペースエリアと１５バイトのデータポインタエリアにより構成されている。第１の言語の文字「１」と第２の言語の文字「２」の一方のネームスペースエリアには例えば図６に示すように楽曲名を日本語で表示するためのデータが配置され、他方のネームスペースエリアには英語で表示するためのデータが配置される。なお、この表示言語はディスク発行元が決定してよい。
【００３７】
４８バイトのジェネラル情報は、例えば１６バイトのサービスレベル情報と、１２バイトの言語コード情報と、６バイトの文字セットコード情報と、６バイトの表示アイテム情報と、２バイトの「前のＡＣＤ情報との相違」情報と、６バイトの保留情報により構成される。１６バイトのサービスレベル情報は、表示サイズ、表示の種類、オーディオ／ビデオ／ＳＰの区別、ストリームなどを示し、また、文字はマンダトリー（必須）、ビットマップはオプション（随意）である。１２バイトの言語コードはビデオファイルと同様に文字「１」「２」の言語をそれぞれ２バイトで示し、１ファイル中最大８言語分を示す。英語はマンダトリーである。
【００３８】
６バイトの文字セットコード情報は、言語コードに対応した文字コードを最大１５個持つことが可能であり、文字「１」「２」の言語の有無と種類を１バイトで示す。コード例を以下に示す。
１．ＩＳＯ６４６
２．ＩＳＯ８８５９−１
３．ＭＳ−ＪＩＳ
６バイトの表示アイテム情報は、図１５に示すフリースペース「１」「２」、データポインタの有無、ＩＤを示す。ネームスペースはマンダトリーであり、タイトルネーム、ミュージックネーム、アーティストネームは必ず記述する。
【００３９】
１０００バイトのＡＳＤ（オーディオサーチデータ）は、図１７に詳しく示すように１６バイトのジェネラル情報と、８バイトの現在の番号（Ｎｏ．）情報と、１６バイトの現在時刻情報と、８バイトのタイトルセットサーチ情報と、８バイトのタイトルサーチ情報と、４０４バイトのトラックサーチ情報と、４０８バイトのインデックスサーチ情報と、８０バイトのハイライトサーチ情報と、５２バイトの保留エリアにより構成されている。
【００４０】
８バイトの現在の番号情報は、タイトルセットの現在のタイトル番号（２バイト：ＢＣＤ）と、タイトルセットの現在のトラック番号（２バイト：ＢＣＤ）と、トラックの現在のインデックス番号（２バイト：ＢＣＤ）と保留領域（２バイト）により構成されている。１６バイトの現在時刻情報は、トラックのプレイバック時間（４バイト：ＢＣＤ）と、トラックの残りのプレイバック時間（４バイト：ＢＣＤ）と、タイトルの絶対時間（４バイト：ＢＣＤ）とタイトルの残りの絶対時間（４バイト：ＢＣＤ）により構成されている。
【００４１】
８バイトのタイトルセットサーチ情報は、タイトルセットの最初のセクタ番号（４バイト）と、タイトルセットの最後のセクタ番号（４バイト）により構成されている。８バイトのタイトルサーチ情報は、タイトルの最初のセクタ番号（４バイト）と、タイトルの最後のセクタ番号（４バイト）により構成されている。４０４バイトのトラックサーチ情報は、タイトルのトラック及びセクタ番号（４バイト×９９）と、タイトルの最初のトラック番号（４バイト）とタイトルの最後のトラック番号（４バイト）により構成されている。
【００４２】
４０８バイトのインデックスサーチ情報は、トラックのインデックス及びセクタ番号（４バイト×１００）と、トラックの最初のインデックス番号（４バイト）とトラックの最後のインデックス番号（４バイト）により構成されている。８０バイトのハイライトサーチ情報は、トラックのインセクタ番号（４バイト×１０）とトラックのアウトセクタ番号（４バイト×１０）により構成されている。
【００４３】
このようなフォーマットによれば、複数のＡパックの先頭に、ＣＤのＴＯＣ情報のように後続のＡパックのオーディオ信号を管理するためのＡ−ＣＯＮＴパックが配置されるので、オーディオデータはビデオデータなどとは一体化されず、記録容量を多くすることができる。また、Ａ−ＣＯＮＴパックによりオーディオ時間を管理することができ、また、Ａ−ＣＯＮＴパックによりオーディオデータに関する曲名などの簡単な文字情報を取り出すことができる。
【００４４】
また、Ａ−ＣＯＮＴパック内にタイトル、スタートアドレス、演奏時間などのＴＯＣ情報を配置するので、オーディオ再生中であってもユーザの操作に応じた情報をＡ−ＣＯＮＴパックから取り出して再生を開始することができる。また、オーディオマネージャインフォメーション（ＡＭＧＩ）とオーディオタイトルセットインフォメーション（ＡＴＳＩ）内にＴＯＣ情報を配置することにより、必要なＴＯＣ情報を再生装置内のメモリ記憶させて、ユーザの操作に応じた情報をメモリから即座に読み出して再生を開始することができる。また、ＤＶＤ−ビデオにおけるプログラムチェーンインフォメーション（ＰＧＣＩ）のような大きな容量の情報を記憶する必要がないので、ディスクを効率的に管理することができる。
【００４５】
さらに、
１．コンテンツ内に画像（Ｖ）データがない場合、
（１）タイトル、曲、インデックスの３階層に対するサーチ、ランダムアクセスが可能になる。
（２）ＧＯＦ（オーディオフレーム）単位の頭出し、タイムサーチ、ランダムアクセスが可能になる。
（３）タイトル、曲、インデックスの時間を実時間で管理することができる。
【００４６】
また、
２．コンテンツ内に画像（Ｖ）データがある場合、
オーディオデータに関しては、
上記（１）〜（３）の他に、
（４）タイトル、曲中の現在時間、残り時間を実時間で表示、管理することができる。
【００４７】
ビデオデータに関しては、
（１）タイトル、ＰＴＴ、セルの３階層に対するサーチ、ランダムアクセスが可能になる。
（２）ビデオフレーム単位の頭出し、タイムサーチ、ランダムアクセスが可能になる。
（３）タイトル、ＰＴＴ、セルの時間を実時間で管理することができる。
（４）ＰＴＴ又はタイトル中の現在時間、残り時間をビデオフレーム単位時間で表示、管理することができる。
【００４８】
なお、図１（ｂ）のＡＣＢＵは、Ａ−ＣＯＮＴパックとＣＯＮＴパックを含んでいるが、図１８に示すようにＶパックとＣＯＮＴパックは含まないように構成してもよい。この場合にはビデオ信号は記録されないが、オーディオ信号の記録容量が割り増しになる特徴があり、ディスクサイズを小型化することができ、また、再生機能を簡略化することができるのでポータブル用の再生装置に適するものを提供することができる。
【００４９】
次に、図１９を参照して本発明に係る再生装置について説明する。ＤＶＤオーディオオーディオディスク１には、上記構造のデータがＥＦＭ変調されてピットの形式で記録されている。操作部１８やリモコン装置１９により曲目選択、再生、早送り、停止操作が行われると、制御部２３はその操作に応じてドライブ装置２と再生装置１７を制御し、再生時にはＤＶＤオーディオディスク１に記録されたピットデータがドライブ装置２により読み取られた後、ＥＦＭ復調される。
【００５０】
再生装置１７では、この信号がＣＯＮＴパック検出部３とＡ−ＣＯＮＴパック検出部９に送られる。ＣＯＮＴパック検出部３はこの再生データ中のＣＯＮＴパックを検出して制御パラメータをパラメータ部８に設定するとともに、ＣＯＮＴパックにより制御されるＶパックをＶパックバッファ４に順次書き込む。Ｖパックバッファ４に書き込まれたＶパック内のユーザデータ（ビデオ信号、サブピクチャ情報）は、バッファ取り出し部５によりＶパック内のＳＣＲ（図１３参照）に基づいてパック順に、また、ＣＯＮＴパック内のＰＴＳ（Presentation Time Stamp）に基づいて出力時刻順に取り出され、次いで画像変換部６、Ｄ／Ａ変換部７、ビデオ出力端子１５、１５’を介してアナログビデオ信号として出力される。
【００５１】
また、Ａ−ＣＯＮＴパック検出部９は再生データ中のＡ−ＣＯＮＴパックを検出して制御パラメータをパラメータ部１４に設定するとともに、Ａ−ＣＯＮＴパックにより制御されるＡパックをＡパックバッファ１０に順次書き込む。Ａパックバッファ１０に書き込まれたＡパック内のユーザデータ（オーディオ信号）は、バッファ取り出し部１１によりＳＣＲに基づいてパック順に、また、Ａ−ＣＯＮＴパック内のオーディオサーチデータＡＳＤの現在時刻（図１７参照）に基づいて出力時刻順に取り出され、次いでＰＣＭ変換部１２、Ｄ／Ａ変換部１３、オーディオ出力端子１６を介してアナログオーディオ信号として出力される。また、Ａ−ＣＯＮＴパック中の表示用データ（図１５、図１６に示すオーディオキャラクタディスプレイ情報ＡＣＤ）は表示信号生成部２０に送られて表示信号が生成され、この表示信号は表示信号出力端子２２を介して出力されたり、内蔵の文字表示部２１に出力される。
【００５２】
図２０は図１９に示す構成を機能的に示すブロック図である。再生手段２は図１９に示すドライブ装置２に対応し、再生信号処理分離手段Ａ（９、１０、１１、１４）はＡ−ＣＯＮＴパック検出部９、Ａパックバッファ１０、バッファ取り出し部１１及びパラメータ部１４に対応し、オーディオ信号出力手段（１２、１３）はＰＣＭ変換部１２及びＤ／Ａ変換部１３に対応し、文字情報出力手段２０は表示信号生成部２０に対応している。また、再生信号処理分離手段Ｖ（３、４、５、８）はＣＯＮＴパック検出部３、Ｖパックバッファ４、バッファ取り出し部５及びパラメータ部８に対応し、ビデオ信号出力手段とサブピクチャ情報出力手段（６、７）は画像変換部６及びＤ／Ａ変換部７に対応している。制御手段２３は制御部２３に対応している。
【００５３】
図２０において、制御手段２３は操作部１８やリモコン装置１９から目的の楽曲を再生するためのコマンド信号が送られてくると、その再生コマンドに応じたアドレス制御情報信号を再生手段２に送ることによりＤＶＤオーディオディスク１から目的の楽曲を再生する。再生信号処理分離手段Ａは再生データを分離してＡ−ＣＯＮＴ情報を制御手段２３に送り、オーディオ信号をオーディオ信号出力手段（１２、１３）に送り、文字情報を文字情報出力手段２０に送る。再生信号処理分離手段Ｖは再生データを分離してＣＯＮＴ情報を制御手段２３に送り、ビデオ信号とサブピクチャ情報をそれぞれビデオ信号手段とサブピクチャ情報出力手段（６、７）に送る。
【００５４】
次に、ＴＯＣ（Table Of Contents）情報を用いた第２の実施形態の再生装置について説明する。図２１に示すように、ＡＭＧＩ（オーディオマネージャインフォメーション）の空きエリアに対して、図２２に詳しく示すようなＴＯＣを追加して記録し、再生装置はこのＴＯＣ情報にアクセスして曲の頭出しを行う。図２２は一例として、ＣＤのリードインエリアに記録されている一般的なＴＯＣ情報を示し、同じ情報が３回繰り返して記録されている。なお、本発明のＤＶＤオーディオディスク１に記録する場合にはこのように繰り返してもよく、また、繰り返さなくてもよい。
【００５５】
ここで、ＣＤにおいて用いられているＴＯＣ情報では、ポイント＝００〜９９のときにその数字で示される各楽章が始まる絶対時間が分（ＰＭＩＮ）、秒（ＰＳＥＣ）及びフレーム（ＰＦＲＡＭＥ）で表される。また、ポイント＝Ａ０のときにＰＭＩＮが最初の楽章を示し、ＰＳＥＣ＝ＰＦＲＡＭＥ＝０となる。ポイント＝Ａ１のときにはＰＭＩＮが最後の楽章を示し、ＰＳＥＣ＝ＰＦＲＡＭＥ＝０となる。ポイント＝Ａ２のときにはリードアウトエリアが始まる絶対時間が分（ＰＭＩＮ）、秒（ＰＳＥＣ）及びフレーム（ＰＦＲＡＭＥ）で表される。したがって、図２２に示すＴＯＣ情報はＤＶＤオーディオディスク１に対して６曲（又は６楽章）分が記録されていることを示している（ポイント＝０１〜０６）。なお、このＴＯＣ情報はＡＭＧＩの代わりに、図２３に示すようにＡＴＳＩ（オーディオタイトルセットインフォメーション）の空きエリアに記録するようにしてもよく、また、図１４に示すＡ−ＣＯＮＴパックのＡＣＤパケット内の保留エリア（３６０バイト分）に記録するようにしてもよい。
【００５６】
そして、このＴＯＣ情報は再生開始時に読み取られて図２４、図２５に示すＴＯＣ情報記憶メモリ１４Ａに記憶され、曲又は楽章の頭出し再生が指定されると、このＴＯＣ情報記憶メモリ１４Ａを参照してＤＶＤオーディオディスク１にアクセスする。なお、このＴＯＣ情報はまた、ＡＭＧＩ、ＡＴＳＩ又はＡ−ＣＯＮＴパックに記録するとともに、さらに、図２６に示すようにＤＶＤオーディオディスク１の最内周部のリードインエリア（図示ＴＯＣ領域１ａ）に追加して記録し、再生開始時にはＴＯＣ検出手段２４がこのＴＯＣ領域１ａを独立してアクセスして、ＴＯＣ情報記憶メモリ１４Ａに記憶するようにしてもよい。
【００５７】
次に、図２７、図２８を参照してＴＯＣ情報を用いたＡ−Ｖ同期再生処理を説明する。図２７において曲又は楽章の頭出し再生が指定されると、その指定位置に対応するＴＯＣ情報を参照し（ステップＳ１）、次いでそのＴＯＣ情報に基づいてセルとインデックスの場所を計算する（ステップＳ２）。次いでその場所をサーチし（ステップＳ３）、確認すると図２８に詳しく示すようなＡとＶの同期再生を行う（ステップＳ４→Ｓ５）。
【００５８】
図２８において、ＣＯＮＴパックを再生し（ステップＳ１１）、次いでＡ−ＣＯＮＴパックを再生し（ステップＳ１２）、次いでＣＯＮＴパックとＡ−ＣＯＮＴパック内の時刻情報が同一時刻か否かをチェックする（ステップＳ１３）。そして、同一時刻でない場合にはＣＯＮＴパックとＡ−ＣＯＮＴパックの両方を±１パック分だけ調整し（ステップＳ１４）、次いでステップＳ１１に戻ってそのＣＯＮＴパックとＡ−ＣＯＮＴパックを再生する。なお、ステップＳ１４では、ＣＯＮＴパックとＡ−ＣＯＮＴパックの一方を±１パック分だけ調整して、そのパックを再生するようにしてもよい。
【００５９】
ステップＳ１３においてＣＯＮＴパックとＡ−ＣＯＮＴパック内の時刻情報が同一の場合に、そのＡ−ＣＯＮＴパックにより制御されるＡパックを再生するとともにＡパックアドレス（ＳＣＲ情報）を１つインクリメントし（ステップＳ１５）、次いでそのＣＯＮＴパックにより制御されるＶパックを再生するとともにＶパックアドレス（ＳＣＲ情報）を１つインクリメントする（ステップＳ１６）。次いでそのＡパックの再生が終了したか否かをチェックし（ステップＳ１７）、終了していない場合にはステップＳ１８に進み、他方、終了した場合にはステップＳ２０に進む。
【００６０】
ステップＳ１８ではそのＶパックの再生が終了したか否かをチェックし、終了していない場合にはステップＳ１３に戻り、他方、終了した場合にはステップＳ１９に進む。ステップＳ１９ではそのＣＯＮＴパックにより制御される次のＶパックを再生するとともにＶパックアドレスを１つインクリメントし、ステップＳ１３に戻る。ステップＳ２０ではそのＡ−ＣＯＮＴパックにより制御される次のＡパックを再生するとともにＡパックアドレスを１つインクリメントし、次いでＶパックの再生が終了したか否かをチェックし（ステップＳ２１）、終了していない場合にはステップＳ２２に進み、他方、終了した場合にはステップＳ２３に進む。
【００６１】
ステップＳ２２ではそのＡ−ＣＯＮＴパックにより制御されるＡパックが最終パックか否かをチェックし、最終パックでない場合にはステップＳ１６に戻り、他方、最終パックの場合にはステップＳ１２に戻って次のＡ−ＣＯＮＴパックを再生する。ステップＳ２３ではそのＣＯＮＴパックにより制御される次のＶパックを再生するとともにＶパックアドレスを１つインクリメントし、次いでフレームの終了（ＥＯＦ）が否かをチェックし（ステップＳ２４）、ＥＯＦでない場合にはステップＳ１３に戻り、他方、ＥＯＦの場合にはこのＡ−Ｖ同期再生処理を終了する。このように、パックに収められたオーディオデータＡとビデオデータＶは、ＣＯＮＴパックとＡ−ＣＯＮＴ内の時間管理情報に基づいて切れ目なく同期して再生される。
【００６２】
次に、第４の実施形態について説明する。図２９は第４の実施形態としてＤＶＤ−Ｖａｎ（ビデオ＋オーディオナビゲーション）ディスクの基本フォーマットを示し、図３０は図２９の実施形態のＡＣＢＵ及びＶＣＢＵを示し、図３１は第４の実施形態のＡＣＤ（オーディオキャラクタディスプレイ）情報の他の例を示し、図３２は第４の実施形態のＡＳＤ（オーディオサーチデータ）を示し、図３３は図２９のＣＯＮＴパックを詳しく示し、図３４は図３３のＰＣＩデータを詳しく示し、図３５は図３４のＰＣＩ一般情報を詳しく示し、図３６は図３４の記録情報を詳しく示し、図３７は図３３のＤＳＩを詳しく示し、図３８は図３７のＤＳＩ一般情報を詳しく示し、図３９は図３７のシームレス再生情報を詳しく示し、図４０は図３７のシームレス用アングル情報によるシームレス・アングル変更の概念を示し、図４１は図３７のＶＯＢＵサーチ情報の一例を示し、図４２は図３７のＶＯＢＵサーチ情報を詳しく示し、図４３は図３７の同期情報を詳しく示している。
また、図４４は第１〜第４の実施形態のディスクのリードインエリアの構成を示し、図４５は図４４のコントロールデータブロックを詳しく示し、図４６は図３５のフィジカル・フォーマット・インフォメーションを詳しく示している。
さらに、図４７は第４の実施形態のディスク再生装置を示し、図４８は図４７のディスク再生装置の動作を概略的に示している。
【００６３】
ところで、上記第１の実施形態では、オーディオプレーヤがＡパックの再生を制御するために、図１４に詳しく示すＡ−ＣＯＮＴパック内のＡＳＤ（オーディオサーチデータ）を用いており、このときシームレス再生するときには現在番号及び現在時刻に基づいており、また、ジャンプ再生するときにはタイトルセットサーチ、タイトルサーチ、トラックサーチ、インデックスサーチ、ハイライトサーチのサーチ情報に基づいている。
【００６４】
これに対し、この第４の実施形態のＤＶＤ−Ｖａｎディスクでは、各種のＤＶＤプレーヤを用いて再生可能なように、その基本フォーマットは図２９（ａ）に示すように、大別して先頭のビデオマネージャ（ＶＭＧ）及びオーディオマネージャ（ＡＭＧ）と、それに続く複数のビデオタイトルセット（ＶＴＳ）及びオーディオタイトルセット（ＡＴＳ）の各エリアにより構成されている。すなわち、このＤＶＤ−Ｖａｎディスクの基本フォーマットは、図１（ａ）に示すＤＶＤビデオディスクと図１（ｂ）、図２９（ｂ）に示すＤＶＤオーディオディスクの両方を含んでいる。なお、これらＡＭＧとＡＴＳは図１（ｂ）、図２９（ｂ）に示したＡＭＧとＡＴＳと同じ機能を持つので説明を省略する。
【００６５】
そして、ＶＴＳ及びＡＴＳの各々はそれぞれ、先頭のＶＴＳインフォメーション（ＶＴＳＩ）及びＡＴＳインフォメーション（ＡＴＳＩ）と、それに続く１以上のビデオコンテンツブロックセット（ＶＣＢＳ）及びオーディオコンテンツブロックセット（ＡＣＢＳ）と、最後のＶＴＳＩ及びＡＴＳＩにより構成されている。また、ＶＣＢＳの各々は複数のＶＣＢにより構成され、他方、ＡＣＢＳの各々は複数のＡＣＢにより構成されている。ＶＣＢの各々はビデオの１タイトル分であり、ＡＣＢの各々はこれに対応してオーディオの１タイトル分である。ＶＣＢの各々（１タイトル）は複数のチャプタにより構成され、他方、ＡＣＢの各々（１タイトル）はこれに対応して複数のトラックにより構成されている。チャプタはパートオブタイトル（ＰＴＴ）を含み、トラックはパートオブタイトル（ＰＴＴ）を含む。
【００６６】
チャプタの各々は複数のセルにより構成され、他方、トラックの各々はこれに対応して複数のインデックスにより構成されている。セルの各々は複数のＶＣＢユニット（ＶＣＢＵ）により構成され、他方、インデックスの各々はこれに対応して複数のＡＣＢユニット（ＡＣＢＵ）により構成されている。そして、ＶＣＢユニット（ＶＣＢＵ）は図３０に詳しく示すようにＡ−ＣＯＮＴパックは含まず、先頭のＣＯＮＴパックと、比較的多い数のＡパックと比較的少ない数のＶパックにより構成されている。また、このＡＣＢＵはＶパックの後の最初のＡパックを先頭としてＶＣＢＵと略同じ間隔の０．４〜１．０秒分の任意の数のパックにより構成されている。ここで、ＶＣＢＵはＤＶＤビデオ規格ではＶＯＢＵとも呼ばれている。
【００６７】
そして、ＡＣＢＵがＡ−ＣＯＮＴパックを含まないので、第１の実施形態においてＡ−ＣＯＮＴパック内に含まれていたＡＣＤパケットとＡＳＤパケットは図２９（ａ）に示すＡＭＧ（オーディオマネージャ）とＡＴＳ（オーディオタイトルセット）の一方又は両方に配置される。
【００６８】
ここで、第１の実施形態のＡＣＤパケットは、ＡＣＢユニット毎（０．５〜１．０秒毎）に１つ設けられるＡ−ＣＯＮＴパック内に設けられているので多数の画面分のデータを収容することができるが、第２の実施形態ではＶＭＧ（ビデオマネージャ）とＡＭＧ（オーディオマネージャ）やＶＴＳ（ビデオタイトルセット）とＡＴＳ（オーディオタイトルセット）のように、ＤＶＤビデオディスクとＤＶＤオーディオディスクの両方のデータを収容するので、収容データ量が制限され、したがって、曲毎や楽章毎のタイトル名などのみの比較的少ないデータ量で収容される。また、以下に詳しく示すオーディオ再生制御情報も１種類程度で収容してもよい。
【００６９】
また、このＡＣＤパケット内のＡＣＤエリアは第１の実施形態（図１５）のように第１の言語の文字「１」と第２の言語の文字「２」のデータを有するように構成してもよいが、代わりに図３１に示すように文字「２」に関するデータを省略して、４８バイトのジェネラル情報エリアと、例えば図１６に示すような楽曲名などのいわゆる「オーディオ・ナビゲーション」を表示するための１つの言語の文字「１」に関する２９４バイトのエリアと２９４バイトのオーディオ再生制御情報エリアにより構成してもよい。文字「１」のエリアは、第１の実施形態と同様に９３バイトのネームスペースエリアと、各々９３バイトの２つのフリースペースエリアと、１５バイトのデータポインタエリアにより構成されている。
【００７０】
オーディオ再生制御情報エリアの内容は任意であり、例えば各々２５バイトの１０種類分のオーディオ再生制御情報エリア（２５０バイト）と４４バイトの保留エリアにより構成される。１種類分のオーディオ再生制御情報エリアには２０バイトのグラフィックイコライザ情報と、３バイトのレベルバランス情報と２バイトの残響付加情報が配置され、この情報はユーザにより選択されてオーディオ信号の音質が制御される。これらのオーディオ再生制御情報は、Ａパックに配置されている楽曲をユーザが再生する場合に、例えばその楽曲のジャンル（クラシック、ジャズ、ロック、ＢＧＭ）に応じて、また、同一ジャンルであってもその楽曲の演奏状態、録音状態、雰囲気などに応じて再生時の音質が最も良くなるようにいわゆるプロのミキサが推奨するデータである。保留エリアにはオーディオ信号のチャネル数が６の場合、チャネル数を２にミクスダウンしてステレオ再生できるようなミキシング係数を収納させる。
【００７１】
また、Ａパックをシームレス再生するときにはＣＯＮＴパックを用いるので、ＡＳＤは図３２に示すように、第１の実施形態（図１７）における８バイトの現在の番号情報と１６バイトの現在時刻情報が省略され、その分が保留エリア（７６バイト）として用いられている。このため、第１の実施形態のようにきめ細かい表示や再生制御はできないが、第１の実施形態のようにＤＶＤオーディオディスク専用プレーヤのみが再生でき、ＤＶＤビデオディスク専用プレーヤが再生できないディスクが普及するまでの過渡期において有効なオーディオディスクを実現することができる。
【００７２】
次に図３３を参照してＣＯＮＴパックの構成について詳しく説明する。このＣＯＮＴパックはＤＶＤビデオ規格ではナビゲーション・パック、通称ナビ（ＮＶ）パックと呼ばれており、１４バイトのパックヘッダと、２４バイトのシステムヘッダと、ＰＣＩ（プレゼンテーション・コントロール・インフォメーション）パケットとＤＳＩ（データ・サーチ・インフォメーション）パケットにより構成されている。ＰＣＩは再生制御情報と呼ばれており、このＰＣＩパケットは６バイトのパケットヘッダと、１バイトのサブストリームＩＤと図３４に詳しく示す９７９バイトのＰＣＩデータにより構成され（合計９８６バイト）、また、ＤＳＩパケットは６バイトのパケットヘッダと、１バイトのサブストリームＩＤと図３７に詳しく示すＤＳＩにより構成されている（合計１０２４バイト）。
【００７３】
ＰＣＩデータはＶＯＢＵの再生を制御するナビゲーション・データであり、図３４に詳しく示すように６０バイトのＰＣＩ一般情報（ＰＣＩ  ＧＩ）と、３６バイトの非シームレス用アングル情報（ＮＳＭＬ  ＡＧＬＩ）と、６９４バイトのハイライト情報（ＨＬＩ）と１８９バイトの記録情報（ＲＥＣＩ）の４つの情報により構成されている。
【００７４】
ＰＣＩ一般情報は図３５に詳しく示すように、
・４バイトの「ＮＶパック（＝ＣＯＮＴパック）のＬＢＮ」（ＮＶ  ＰＣＫ  ＬＢＮ）と、
・２バイトの「ＶＯＢＵのカテゴリ」（ＶＯＢＵ  ＣＡＴ）と、
・２バイトの保留エリアと、
・４バイトの「ＶＯＢＵのユーザ操作制御情報」（ＶＯＢＵ  ＵＯＰ  ＣＴＬ）と、
・４バイトの「ＶＯＢＵの開始ＰＴＭ」（ＶＯＢＵ  Ｓ  ＰＴＭ）と、
・４バイトの「ＶＯＢＵの終了ＰＴＭ」（ＶＯＢＵ  Ｅ  ＰＴＭ）と、
・４バイトの「ＶＯＢＵ内シーケンス・エンドの終了ＰＴＭ」（ＶＯＢＵ  ＳＥ  Ｓ  ＰＴＭ）と、
・４バイトの「セル内経過時間」（Ｃ  ＥＬＴＭ）と
・３２バイトの保留エリアにより構成されている。
【００７５】
「ＮＶパックのＬＢＮ」（ＮＶ  ＰＣＫ  ＬＢＮ）には、本ＰＣＩが含まれるＮＶパックのアドレスが本ＰＣＩが含まれるＶＯＢＳの先頭ＬＢからＲＬＢＮで記述されており、また、「ＶＯＢＵのカテゴリ」（ＶＯＢＵ  ＣＡＴ）には、本ＶＯＢＵのアナログ・プロテクション・システム（ＡＰＳ）の状態が記述されている。
【００７６】
図３４に示した非シームレス用アングル情報（ＮＳＭＬ  ＡＧＬＩ）は、アングル変更時の行き先アドレスに関する情報であり、また、アングル・セル変更が非シームレスに変更されるとき、すなわちシームレス・アングル変更フラグが「非シームレス」に設定されている場合のみ、有効である。図３４に示したハイライト情報（ＨＬＩ）はサブピクチャ表示領域内の一矩形領域をハイライトする情報であり、この情報に基づいて特定矩形領域内のビデオとサブピクチャの色の混合比（コントラスト）を変更することができる。また、各サブピクチャ・ストリームのサブピクチャ・ユニット（ＳＰＵ）の再生期間は、ハイライト情報（ＨＬＩ）の有効期間と同一である。
【００７７】
図３４に示した記録情報（ＲＥＣＩ）は図３６に詳しく示すように、
・１０バイトの「ビデオストリーム内のビデオデータのＩＳＲＣ」（ＩＳＲＣ  Ｖ）と、
・１０バイトの「デコーディング・オーディオ・ストリーム＃０内オーディオデータのＩＳＲＣ」（ＩＳＲＣ  Ａ０）と、
・１０バイトの「デコーディング・オーディオ・ストリーム＃１内オーディオデータのＩＳＲＣ」（ＩＳＲＣ  Ａ１）と、
・１０バイトの「デコーディング・オーディオ・ストリーム＃２内オーディオデータのＩＳＲＣ」（ＩＳＲＣ  Ａ２）と、
・１０バイトの「デコーディング・オーディオ・ストリーム＃３内オーディオデータのＩＳＲＣ」（ＩＳＲＣ  Ａ３）と、
・１０バイトの「デコーディング・オーディオ・ストリーム＃４内オーディオデータのＩＳＲＣ」（ＩＳＲＣ  Ａ４）と、
・１０バイトの「デコーディング・オーディオ・ストリーム＃５内オーディオデータのＩＳＲＣ」（ＩＳＲＣ  Ａ５）と、
・１０バイトの「デコーディング・オーディオ・ストリーム＃６内オーディオデータのＩＳＲＣ」（ＩＳＲＣ  Ａ６）と、
・１０バイトの「デコーディング・オーディオ・ストリーム＃７内オーディオデータのＩＳＲＣ」（ＩＳＲＣ  Ａ７）と、
・１０バイトの「デコーディング・ＳＰストリーム＃０、＃８、＃１６又は＃２４内ＳＰデータのＩＳＲＣ」（ＩＳＲＣ  ＳＰ０）と、
・１０バイトの「デコーディング・ＳＰストリーム＃１、＃９、＃１７又は＃２５内ＳＰデータのＩＳＲＣ」（ＩＳＲＣ  ＳＰ１）と、
・１０バイトの「デコーディング・ＳＰストリーム＃２、＃１０、＃１８又は＃２６内ＳＰデータのＩＳＲＣ」（ＩＳＲＣ  ＳＰ２）と、
・１０バイトの「デコーディング・ＳＰストリーム＃３、＃１１、＃１９又は＃２７内ＳＰデータのＩＳＲＣ」（ＩＳＲＣ  ＳＰ３）と、
・１０バイトの「デコーディング・ＳＰストリーム＃４、＃１２、＃２０又は＃２８内ＳＰデータのＩＳＲＣ」（ＩＳＲＣ  ＳＰ４）と、
・１０バイトの「デコーディング・ＳＰストリーム＃５、＃１３、＃２１又は＃２９内ＳＰデータのＩＳＲＣ」（ＩＳＲＣ  ＳＰ５）と、
・１０バイトの「デコーディング・ＳＰストリーム＃６、＃１４、＃２２又は＃３０内ＳＰデータのＩＳＲＣ」（ＩＳＲＣ  ＳＰ６）と、
・１０バイトの「デコーディング・ＳＰストリーム＃７、＃１５、＃２３又は＃３１内ＳＰデータのＩＳＲＣ」（ＩＳＲＣ  ＳＰ７）と、
・１バイトの「ＩＳＲＣ用に選択されたＳＰストリームのグループ」（ＩＳＲＣ  ＳＰ  ＳＥＬ）と、
・１８バイトの保留エリアにより構成されている。
【００７８】
図３３に示したデータサーチ情報（ＤＳＩ）はデータをサーチして、ＶＯＢＵのシームレス再生を実行するためのナビゲーションデータであり、図３７に詳しく示すように
・３２バイトのＤＳＩ一般情報（ＤＳＩ  ＧＩ）と、
・１４８バイトのシームレス再生情報（ＳＭＬ  ＰＢＩ）と、
・５４バイトのシームレス用アングル情報（ＳＭＬ  ＡＧＬＩ）と、
・１６８バイトのＶＯＢＵサーチ情報（ＶＯＢＵ  ＳＲＩ）と、
・１４４バイトの同期情報（ＳＹＮＣＩ）と、
・４７１バイトの保留エリアにより構成されている。
【００７９】
ＤＳＩ一般情報（ＤＳＩ  ＧＩ）は図３８に詳しく示すように
・４バイトの「ＮＶ  ＰＣＫのＳＣＲベース」（ＮＶ  ＰＣＫ  ＳＣＲ）と、
・４バイトの「ＮＶ  ＰＣＫのＬＢＮ」（ＮＶ  ＰＣＫ  ＬＢＮ）と、
・４バイトの「ＶＯＢＵの終了アドレス」（ＶＯＢＵ  ＥＡ）と、
・４バイトの「ＶＯＢＵの第１リファレンス・ピクチャの終了アドレス」（ＶＯＢＵ  １ＳＴＲＥＦ  ＥＡ）と、
・４バイトの「ＶＯＢＵの第２リファレンス・ピクチャの終了アドレス」（ＶＯＢＵ  ２ＮＤＲＥＦ  ＥＡ）と、
・４バイトの「ＶＯＢＵの第３リファレンス・ピクチャの終了アドレス」（ＶＯＢＵ  ３ＲＤＲＥＦ  ＥＡ）と、
・２バイトの「ＶＯＢＵのＶＯＢ  ＩＤ番号」（ＶＯＢＵ  ＶＯＢ  ＩＤＮ）と、
・１バイトの保留エリアと、
・１バイトの「ＶＯＢＵのセルＩＤ番号」（ＶＯＢＵ  Ｃ  ＩＤＮ）と、
・４バイトの「セル経過時間」（Ｃ  ＥＬＴＭ）により構成されている。
【００８０】
図３７に示したシームレス再生情報（ＳＭＬ  ＰＢＩ）は、図３９に詳しく示すように
・２バイトの「シームレスＶＯＢＵのカテゴリ」（ＶＯＢＵ  ＳＭＬ  ＣＡＴ）と、
・４バイトの「インタリーブド・ユニットの終了アドレス」（ＩＬＶＵ  ＥＡ）と、
・４バイトの「次のインタリーブド・ユニットの開始アドレス」（ＮＸＴ  ＩＬＶＵ  ＳＡ）と、
・２バイトの「次のインタリーブド・ユニットのサイズ」（ＮＸＴ  ＩＬＶＵ  ＳＺ）と、
・４バイトの「ＶＯＢ内のビデオの開始ＰＴＭ」（ＶＯＢ  Ｖ  Ｓ  ＰＴＭ）と、
・４バイトの「ＶＯＢ内のビデオの終了ＰＴＭ」（ＶＯＢ  Ｖ  Ｅ  ＰＴＭ）と、
・８バイト×８の「ＶＯＢ内のオーディオの終了ＰＴＭ」（ＶＯＢ  Ａ  ＳＴＰ  ＰＴＭ）と、
・８バイト×８の「ＶＯＢ内のオーディオのギャップ長」（ＶＯＢ  Ａ  ＧＡＰ  ＬＥＮ）により構成されている。
【００８１】
図３７に示したシームレス用アングル情報は、図４０に示すようにアングル変更時の行き先アドレスに関する情報であり、アングル変更がシームレスで実行される場合、すなわちシームレス・アングル変更フラグが「シームレス」に設定されている場合にのみ、有効である。
【００８２】
図３７に示したＶＯＢＵサーチ情報（ＶＯＢＵ  ＳＲＩ）には、図４１に示すようにこのセルで、本ＤＳＩが含まれるＶＯＢＵの再生開始時刻の前後０．５×ｎ秒に再生されるＶＯＢＵの先頭アドレスが記述され、また、１つのセル内でのみ有効である。この情報は図４２に詳しく示すように、
・４バイトの「ビデオデータの持つ次のＶＯＢＵ先頭アドレス」（ＦＷＤＩ  ＶＩＤＥＯ）と、
・４バイトの「＋２４０ＶＯＢＵ先頭アドレスとビデオ存在フラグ」（ＦＷＤＩ  ２４０）と、
・４バイトの「＋１２０ＶＯＢＵ先頭アドレスとビデオ存在フラグ」（ＦＷＤＩ  １２０）と、
・４バイトの「＋６０ＶＯＢＵ先頭アドレスとビデオ存在フラグ」（ＦＷＤＩ  ６０）と、
・４バイトの「＋２０ＶＯＢＵ先頭アドレスとビデオ存在フラグ」（ＦＷＤＩ  ２０）と、
・４バイトの「＋１５ＶＯＢＵ先頭アドレスとビデオ存在フラグ」（ＦＷＤＩ  １５）と、
・４バイトの「＋１４ＶＯＢＵ先頭アドレスとビデオ存在フラグ」（ＦＷＤＩ  １４）と、
・４バイトの「＋１３ＶＯＢＵ先頭アドレスとビデオ存在フラグ」（ＦＷＤＩ  １３）と、
・４バイトの「＋１２ＶＯＢＵ先頭アドレスとビデオ存在フラグ」（ＦＷＤＩ  １２）と、
・４バイトの「＋１１ＶＯＢＵ先頭アドレスとビデオ存在フラグ」（ＦＷＤＩ  １１）と、
・４バイトの「＋１０ＶＯＢＵ先頭アドレスとビデオ存在フラグ」（ＦＷＤＩ  １０）と、
・４バイトの「＋９ＶＯＢＵ先頭アドレスとビデオ存在フラグ」（ＦＷＤＩ  ９）と、
・４バイトの「＋８ＶＯＢＵ先頭アドレスとビデオ存在フラグ」（ＦＷＤＩ  ８）と、
・４バイトの「＋７ＶＯＢＵ先頭アドレスとビデオ存在フラグ」（ＦＷＤＩ  ７）と、
・４バイトの「＋６ＶＯＢＵ先頭アドレスとビデオ存在フラグ」（ＦＷＤＩ  ６）と、
・４バイトの「＋５ＶＯＢＵ先頭アドレスとビデオ存在フラグ」（ＦＷＤＩ  ５）と、
・４バイトの「＋４ＶＯＢＵ先頭アドレスとビデオ存在フラグ」（ＦＷＤＩ  ４）と、
・４バイトの「＋３ＶＯＢＵ先頭アドレスとビデオ存在フラグ」（ＦＷＤＩ  ３）と、
・４バイトの「＋２ＶＯＢＵ先頭アドレスとビデオ存在フラグ」（ＦＷＤＩ  ２）と、
・４バイトの「＋１ＶＯＢＵ先頭アドレスとビデオ存在フラグ」（ＦＷＤＩ  １）と、
・４バイトの「次のＶＯＢＵ先頭アドレスとビデオ存在フラグ」（ＦＷＤＩ  Ｎｅｘｔ）と、
・４バイトの「前のＶＯＢＵ先頭アドレスとビデオ存在フラグ」（ＢＷＤＩ  Ｐｒｅｗ）と、
・４バイトの「−１ＶＯＢＵ先頭アドレスとビデオ存在フラグ」（ＢＷＤＩ  １）と、
・４バイトの「−２ＶＯＢＵ先頭アドレスとビデオ存在フラグ」（ＢＷＤＩ  ２）と、
・４バイトの「−３ＶＯＢＵ先頭アドレスとビデオ存在フラグ」（ＢＷＤＩ  ３）と、
・４バイトの「−４ＶＯＢＵ先頭アドレスとビデオ存在フラグ」（ＢＷＤＩ  ４）と、
・４バイトの「−５ＶＯＢＵ先頭アドレスとビデオ存在フラグ」（ＢＷＤＩ  ５）と、
・４バイトの「−６ＶＯＢＵ先頭アドレスとビデオ存在フラグ」（ＢＷＤＩ  ６）と、
・４バイトの「−７ＶＯＢＵ先頭アドレスとビデオ存在フラグ」（ＢＷＤＩ  ７）と、
・４バイトの「−８ＶＯＢＵ先頭アドレスとビデオ存在フラグ」（ＢＷＤＩ  ８）と、
・４バイトの「−９ＶＯＢＵ先頭アドレスとビデオ存在フラグ」（ＢＷＤＩ  ９）と、
・４バイトの「−１０ＶＯＢＵ先頭アドレスとビデオ存在フラグ」（ＢＷＤＩ  １０）と、
・４バイトの「−１１ＶＯＢＵ先頭アドレスとビデオ存在フラグ」（ＢＷＤＩ  １１）と、
・４バイトの「−１２ＶＯＢＵ先頭アドレスとビデオ存在フラグ」（ＢＷＤＩ  １２）と、
・４バイトの「−１３ＶＯＢＵ先頭アドレスとビデオ存在フラグ」（ＢＷＤＩ  １３）と、
・４バイトの「−１４ＶＯＢＵ先頭アドレスとビデオ存在フラグ」（ＢＷＤＩ  １４）と、
・４バイトの「−１５ＶＯＢＵ先頭アドレスとビデオ存在フラグ」（ＢＷＤＩ  １５）と、
・４バイトの「−２０ＶＯＢＵ先頭アドレスとビデオ存在フラグ」（ＢＷＤＩ  ２０）と、
・４バイトの「−６０ＶＯＢＵ先頭アドレスとビデオ存在フラグ」（ＢＷＤＩ  ６０）と、
・４バイトの「−１２０ＶＯＢＵ先頭アドレスとビデオ存在フラグ」（ＢＷＤＩ  １２０）と、
・４バイトの「−２４０ＶＯＢＵ先頭アドレスとビデオ存在フラグ」（ＢＷＤＩ  ２４０）と、
・４バイトの「ビデオデータを持つ前のＶＯＢＵ先頭アドレス」（ＢＷＤＩ  ＶＩＤＥＯ）により構成されている。
【００８３】
図３７に示した同期情報（ＳＹＮＣＩ）は、本ＤＳＩが含まれるＶＯＢＵのビデオデータと同期して再生されるオーディオデータとサブピクチャデータのアドレス情報であり、図４３に詳しく示すように
・２バイト×８の「対象オーディオパック（Ａ  ＰＣＫ）のアドレス」（Ａ  ＳＹＮＣＡ  ０  to  ７）と
・４バイト×３２の「対象サブピクチャパック（ＳＰ  ＰＣＫ）用ＶＯＢＵ先頭アドレス」（ＳＰ  ＳＹＮＣＡ  ０  to  ３１）により構成されている。
【００８４】
次に第１〜第４の実施形態とＤＶＤビデオディスクの識別子について説明する。ＤＶＤの記録エリアは、図４４に示すように概略的にリードインエリアとデータエリアにより構成されている。また、ＤＶＤのリードインエリアは
・リードインスタートからセクタ番号「０２Ｆ０００ｈ」の前までのオール００ｈのブロックと、
・セクタ番号「０２Ｆ０００ｈ」からセクタ番号「０２Ｆ０２０ｈ」の前までの２ブロック分のリファレンスコードブロックと、
・セクタ番号「０２Ｆ０２０ｈ」からセクタ番号「０２Ｆ２００ｈ」の前までの３０ブロック分のオール００ｈのブロックと、
・セクタ番号「０２Ｆ２００ｈ」からセクタ番号「０２ＦＥ００ｈ」の前までの１９２ブロック分のコントロールデータブロックと、
・セクタ番号「０２ＦＥ００ｈ」からセクタ番号「０３００００ｈ」の前までの３２ブロック分のオール００ｈのブロックにより構成されている。
【００８５】
また、データエリアの先頭（セクタ番号「０３００００ｈ」）からはＩＳＯ９６６０とマイクロＵＤＦ（ユニバーサル・ディスク・フォーマット）のデータが記録され、次にオーディオタイトルセット（ＴＳ）、ビデオＴＳ、コンピュータＴＳなどが記録される。
【００８６】
上記のリードインエリアにおけるコントロールデータブロックは図４５に示すように、フィジカル・フォーマット・インフォメーションのセクタと、ディスク製造インフォメーションのセクタと、著作権インフォメーションのセクタと、ＴＯＣ情報のセクタにより構成されている。また、フィジカル・フォーマット・インフォメーションのセクタは図４６に示すように、ブックタイプ及びパートバージョンのエリアと、ディスクサイズ及びミニマムリードアウトレートのエリアと、ディスク構造のエリアと、記録密度のエリアと、データエリアアロケーションのエリアなどにより構成されている。
【００８７】
そして、ブックタイプ及びパートバージョンのエリアはディスク識別子として割り当てられ、その上位ビットにより、
・「ＤＶＤ−ＲＯＭディスク」か、
・「ＤＶＤ−ＲＡＭディスク」か又は
・「ＤＶＤ−Write Onceディスク」かが示され、さらに「ＤＶＤ−ＲＯＭディスク」の場合には、下位ビットにより
・「コンピュータプログラム・ディスク」か、
・「純粋ビデオ・ディスク」か、
・「ビデオ＋オーディオ・ナビゲーション・ディスク：Ｖａｎディスク」か又は・「オーディオ・ディスク」か
を示す識別子が記述される。
【００８８】
したがって、このブックタイプ及びパートバージョンにより、第１〜第３の実施形態に係るディスクには「ＤＶＤ−ＲＯＭ−オーディオディスク」を示すディスク識別子が記述され、また、第４の実施形態に係るディスクには「ＤＶＤ−ＲＯＭ−Ｖａｎディスク」を示すディスク識別子が記述される。また、「ＤＶＤ−ＲＯＭ−純粋ビデオ・ディスク」のリードインエリアには曲や楽章の頭出し情報などのＴＯＣ情報が設けられていないが、第１〜第３の実施形態の「ＤＶＤ−ＲＯＭ−オーディオディスク」と第４の実施形態の「ＤＶＤ−ＲＯＭ−Ｖａｎディスク」のリードインエリアにはこのＴＯＣ情報が設けられる。なお、このＴＯＣ情報は図２２の構成に準じているが簡易再生情報を付加しておりこれと区別するためにＳＡＰＰと呼ばれることもある。
【００８９】
次に図４７、図４８を参照して第４の実施形態のディスク再生装置について説明する。ここで、ドライブ装置２はディスク１として厚みが異なるＤＶＤとＣＤを読み取り可能に構成されている。また、前述したディスク識別子に基づいて制御部２３により、「ＤＶＤ−ＲＯＭ−純粋ビデオ・ディスク」と「ＤＶＤ−ＲＯＭ−Ｖａｎディスク」の場合にはスイッチＳＷ１はＣＯＮＴパック検出部３及びＴＯＣ情報記憶メモリ８Ａ側に切り替わり、スイッチＳＷ２はバッファ取り出し部５側に切り替わり、スイッチＳＷ３はビデオ処理部３〜８への電源をオンにする。他方、他のディスクの場合にはスイッチＳＷ１はＣＯＮＴパック、Ａ−ＣＯＮＴパック検出部９’、ＴＯＣ情報記憶メモリ１４Ａ及びＣＤ再生部８８側に切り替わり、スイッチＳＷ２はバッファ取り出し部１１側に切り替わり、スイッチＳＷ３はビデオ処理部３〜８への電源をオフするように制御される。
【００９０】
まず、ディスク１からその識別子を読み出してディスク１の種別を判断し（ステップＳ３０、Ｓ３１）、ＤＶＤビデオディスクの場合にはその再生を行う（ステップＳ３１、Ｓ３２）。この場合、図４７において再生信号がスイッチＳＷ１を介してＣＯＮＴパック検出部３に送られ、ＣＯＮＴパック検出部３はこの再生データ中のＣＯＮＴパックを検出して制御パラメータをパラメータ部８に設定するとともに、ＣＯＮＴパックにより制御されるＶパック（及びＳＰパック）とＡパックをＡ及びＶパックバッファ４’に順次書き込む。
【００９１】
Ａ及びＶパックバッファ４’に書き込まれたＶパック、ＳＰパック内のユーザデータ（ビデオ信号、サブピクチャ情報）は、バッファ取り出し部５によりＶパック内のＳＣＲ（図１３参照）に基づいてパック順に、また、ＣＯＮＴパック内のＰＴＳ（Presentation Time Stamp）に基づいて出力時刻順に取り出され、次いで画像変換部６、Ｄ／Ａ変換部７、ビデオ出力端子１５、１５’を介してアナログビデオ信号として出力される。また、Ａ及びＶパックバッファ４’に書き込まれたＡパック内のユーザデータ（オーディオ信号）は、バッファ取り出し部１１によりＳＣＲに基づいてパック順に、また、ＣＯＮＴパックに基づいて出力時刻順に取り出され、スイッチＳＷ２、ＰＣＭ変換部１２、Ｄ／Ａ変換部１３、オーディオ出力端子１６を介してアナログオーディオ信号として出力される。
【００９２】
また、ＤＶＤ−Ｖａｎディスクの場合には再生信号のＣＯＮＴパックとＴＯＣ情報がスイッチＳＷ１を介してそれぞれＣＯＮＴパック検出部３とＴＯＣ情報記憶メモリ８Ａに送られる。そして、ＶパックとＡパックの再生はＤＶＤビデオディスクの場合と同様に行うが、曲や楽章の頭出しはＴＯＣ情報に基づいて行う。
また、ＤＶＤ−Ａｖｄ（オーディオ＋ＡＶデータ）ディスクやＤＶＤオーディオディスクの場合には、再生信号のＣＯＮＴパック又はＡ−ＣＯＮＴパックとＴＯＣ情報がスイッチＳＷ１を介してそれぞれＣＯＮＴパック又はＡ−ＣＯＮＴパック検出部９’とＴＯＣ情報記憶メモリ１４Ａに送られる。そしてＣＯＮＴパック又はＡ−ＣＯＮＴパック検出部９’は再生データ中のＣＯＮＴパック又はＡ−ＣＯＮＴパックを検出して制御パラメータをパラメータ部１４に設定するとともに、ＣＯＮＴパック又はＡ−ＣＯＮＴパックにより制御されるＡパックをＡパックバッファ１０に順次書き込む。
【００９３】
Ａパックバッファ１０に書き込まれたＡパック内のユーザデータ（オーディオ信号）は、バッファ取り出し部１１によりＳＣＲに基づいてパック順に、また、Ａ−ＣＯＮＴパック内のオーディオサーチデータＡＳＤの現在時刻（図１７参照）に基づいて出力時刻順に取り出され、次いでスイッチＳＷ２、ＰＣＭ変換部１２、Ｄ／Ａ変換部１３、オーディオ出力端子１６を介してアナログオーディオ信号として出力される。また、Ａ−ＣＯＮＴパック中の表示用データ（図１５、図１６に示すオーディオキャラクタディスプレイ情報ＡＣＤ）は表示信号生成部２０に送られて表示信号が生成され、この表示信号は表示信号出力端子２２を介して出力されたり、内蔵の文字表示部２１に出力される。
ＣＯＮＴパック又はＡ−ＣＯＮＴパックがないＤＶＤ−ＡｖｄディスクやＤＶＤオーディオディスクにＶデータ（静止画）が含まれている場合は、ＤＶＤ−Ｖａｎディスクと同様にスイッチＳＷ１は選択される。この場合、再生のためにＴＯＣ情報や管理エリアの情報が利用される。
【００９４】
また、ＣＤの場合には、再生信号がスイッチＳＷ１を介してＣＤ再生部８８に送られてアナログオーディオ信号として出力される。
【００９５】
したがって、この第４の実施形態によれば、ＶＯＢユニット内のＡパックの数がＶパックより多いので、Ｖパックをディスプレイにより再生する場合には静止画や動きが少ない動画となるが、ＶＯＢユニット内のＡパックをＤＶＤビデオ規格のＣＯＮＴパック（ＮＶパック）に基づいて再生することができるので、ＤＶＤビデオディスクなどの各種のＤＶＤを再生することができる。
【００９６】
図４９は図４に示したＡＭＧＩ内のテキストデータマネージャ（ＴＸＴＤＴ−ＭＧ）を詳しく示し、図５０は図４９のオーディオ・テキスト・データ言語ユニット（ＡＴＸＴＤＴ−ＬＵ）＃１〜＃ｎを詳しく示し、図５１は図５０のオーディオ・テキスト・データ（ＡＴＸＴＤＴ）を詳しく示し、これらのデータは第４の実施形態のＶａｎディスクのＡＭＧＩ内に記録される。テキストデータマネージャ（ＴＸＴＤＴ−ＭＧ）は図４９に示すように、
・オーディオ・テキスト・データ・マネージャ情報（ＡＴＸＴＤＴ−ＭＧＩ）と、
・ｎ個のオーディオ・テキスト・データ言語ユニット・サーチポインタ（ＡＴＸＴＤＴ−ＬＵ−ＳＲＰ）＃１〜＃ｎと
・図５０に詳しく示すｎ個のオーディオ・テキスト・データ言語ユニット（ＡＴＸＴＤＴ−ＬＵ）＃１〜＃ｎにより構成されている。
【００９７】
オーディオ・テキスト・データ言語ユニット（ＡＴＸＴＤＴ−ＬＵ）＃１〜＃ｎの各々は、図５０に示すように、
・オーディオ・テキスト・データ言語ユニット情報（ＡＴＸＴＤＴ−ＬＵＩ）と、
・ボリューム用アイテム・オーディオ・テキスト・サーチポインタ・サーチポインタ（ＩＴ−ＡＴＸＴ−ＳＲＰ−ＳＲＰ−ＶＬＭ）と、
・ＡＴＴ−ＳＲＰＴに基づくアルバム（Ａｌｂｕｍ）＃１から＃９までのための９個のアイテム・オーディオ・テキスト・サーチポインタ・サーチポインタ（ＩＴ−ＡＴＸＴ−ＳＲＰ−ＳＲＰ−ＴＴＧ＃１〜＃９−ＡＴＴ−ＳＲＰＴ）と、
・ＡＯＴＴ−ＳＲＰＴに基づくアルバム＃１から＃９までのための９個のアイテム・オーディオ・テキスト・サーチポインタ・サーチポインタ（ＩＴ−ＡＴＸＴ−ＳＲＰ−ＳＲＰ−ＴＴＧ＃１〜＃９−ＡＯＴＴ−ＳＲＰＴ）と
・図５１に詳しく示すオーディオ・テキスト・データ（ＡＴＸＴＤＴ）により構成されている。
【００９８】
オーディオ・テキスト・データ（ＡＴＸＴＤＴ）は、図５１に示すように
・オーディオ・テキスト・データ情報（ＡＴＸＴＤＴＩ）と、
・ｎ個のアイテム・オーディオ・テキスト・サーチポインタ＃１〜＃ｎ（ＩＴ−ＡＴＸＴ−ＳＲＰ−＃１〜＃ｎ）と、
・ｎ個のアイテム・オーディオ・テキスト（ＩＴ−ＡＴＸＴ＃１〜＃ｎ）により構成されている。
【００９９】
そして、このようなデータ構造を利用して、アルバムの解説などのオーディオデータに関する情報がテキストデータで収納され、また、このテキストデータはビデオのテキストデータとは別のエリアに収納される。図５２はこのようなオーディオ・テキスト・データが記録されたディスク１が図４７に示す再生装置のドライブ装置１にセットされてこれを再生する場合の処理を示し、操作部１８の「アルバムに関する情報」の操作ボタン（図示せず）が操作されると、その操作時に再生中のアルバム＃ｉ（又は再生前にはボリュームに対応したアルバム＃ｉ）のオーディオ・テキスト・データの表示を行う。この場合の再生装置のスイッチＳＷ１〜ＳＷ３は、前述したようにＤＶＤ−Ｖａｎディスク又はＤＶＤ−オーディオディスクかに応じて切り替わり、ＤＶＤ−Ｖａｎディスクの場合にはテキストデータのビデオ信号がビデオ出力端子１５を介して出力され、他方、ＤＶＤ−オーディオディスクの場合にはテキストデータが文字情報出力端子２２を介して出力されたり、文字表示部２１により表示される。
【０１００】
図５２において、まず、操作部１８を介して指定された言語ユニット＃ｉを選択して読み取り（ステップＳ１）、次いでそのオーディオ・テキスト・データ言語ユニット＃ｉの表示を行う（ステップＳ２）。そして、ステップＳ３において次の指定が有れば、その指定に応じて＋キーの操作のときにはｉをインクリメントし（ステップＳ４、Ｓ５）、−キーの操作のときにはｉをデクリメントし（ステップＳ６、Ｓ７）、また、番号ｋが指定されたときにはｉ＝ｋに設定する（ステップＳ８）。次いでステップＳ２に戻ってそのオーディオ・テキスト・データ言語ユニット＃ｉの表示を行う。
【０１０１】
次に上記のオーディオ・テキスト・データを異なる言語で表示する処理を説明する。図５３は図４に示したオーディオ・マネージャ・メニューＰＧＣＩユニットテーブル（ＡＭＧＭ−ＰＧＣＩ−ＵＴ）を詳しく示し、図５４は図５３のオーディオ・マネージャ・メニュー言語ユニットを詳しく示し、図５５は図５３のオーディオ・マネージャ・メニュー言語ユニットの一例を示し、図５６は図５３のオーディオ・マネージャ・メニュー言語ユニットの表示処理を示している。
【０１０２】
オーディオ・マネージャ・メニューＰＧＣＩユニットテーブル（ＡＭＧＭ−ＰＧＣＩ−ＵＴ）は図５３に示すように
・オーディオ・マネージャ・メニューＰＧＣＩユニットテーブル情報（ＡＭＧＭ−ＰＧＣＩ−ＵＴＩ）と、
・ｎ個のオーディオ・マネージャ・メニュー言語ユニット・サーチポインタ（ＡＭＧＭ−ＬＵ−ＳＲＰ＃１〜＃ｎ）と
・図５４に示すｎ個のオーディオ・マネージャ・メニュー言語ユニット（ＡＭＧＭ−ＬＵ＃１〜＃ｎ）により構成されている。
【０１０３】
オーディオ・マネージャ・メニュー言語ユニット（ＡＭＧＭ−ＬＵ＃１〜＃ｎ）の各々は、図５４に示すように
・ＡＭＧＭ−ＬＵ情報（ＡＭＧＭ−ＬＵＩ）と、
・ｎ個のＡＭＧＭ−ＰＧＣＩサーチポインタ＃１〜＃ｎ（ＡＭＧＭ−ＰＧＣＩ−ＳＲＰ＃１〜＃ｎ）と
・ｎ個のオーディオ・マネージャ・メニュー・プログラム・チェーン情報＃１〜＃ｎ（ＡＭＧＭ−ＰＧＣＩ＃１〜＃ｎ）により構成されている。
【０１０４】
このようなオーディオ・マネージャ・メニュー言語ユニットにより、例えば図５５に示すように同一タイトルに対して日本語と英語のように異なる言語のタイトルメニューがサブピクチャでＤＶＤビデオディスクやＤＶＤ−Ｖａｎディスク１に記録され、また、再生装置はこのディスク１に対して図５６に示すような表示処理を行う。この場合の再生装置のスイッチＳＷ１〜ＳＷ３は、前述したようにＤＶＤビデオディスクやＤＶＤ−Ｖａｎディスクを再生する側に切り替わり、タイトルメニューのサブピクチャ信号がビデオ出力端子１５を介して出力される。
【０１０５】
図５６において、まず、操作部１８を介して指定された言語ユニット＃ｉを選択して読み取り（ステップＳ１１）、次いでそのオーディオ・マネージャ・メニュー＃ｉの表示を行う（ステップＳ１２）。そして、このメニューは幾つかのチェーンで構成されているので、次のチェーンの指定が有れば次のチェーンを指定し（ステップＳ１３→Ｓ１４）、次いでステップＳ１２に戻ってそのチェーンのオーディオ・マネージャ・メニュー＃ｉの表示を行う。
【０１０６】
また、次のチェーンの指定が無い場合には、図５２に示す場合と同様に次のメニューの指定が有るか否かを判断する（ステップＳ１３→Ｓ１５）。そして、次のメニューの指定が無い場合にはステップＳ１３に戻り、他方、次のメニューの指定が有れば、その指定に応じて＋キーの操作のときにはｉをインクリメントし（ステップＳ１６、Ｓ１７）、−キーの操作のときにはｉをデクリメントし（ステップＳ１８、Ｓ１９）、また、番号ｋが指定されたときにはｉ＝ｋに設定する（ステップＳ２０）。次いでステップＳ１２に戻ってそのオーディオ・マネージャ・メニュー＃ｉの表示を行う。
【０１０７】
また、この第４の実施形態のＤＶＤ−Ｖａｎディスクの場合には、図４に示すオーディオ・マネージャ情報（ＡＭＧＩ）は、代わりに図５７に示すように
・オーディオ・マネージャ情報マネージメント・テーブル（ＡＭＧＩ−ＭＡＴ）と、
・オーディオ・タイトル・サーチポインタ・テーブル（ＡＴＴ−ＳＲＰＴ）と、・オーディオ・オンリ・タイトル・サーチポインタ・テーブル（ＡＯＴＴ−ＳＲＰＴ）と、
・オーディオ・マネージャ・メニュー・ＰＧＣＩユニット・テーブル（ＡＭＧＩ−ＰＧＣＩ−ＵＴ）と
・オーディオ・テキスト・データ・マネージャ（ＡＴＸＴＤＴ−ＭＧ）により構成して、図４に示すＰＴＬ−ＭＡＩＴ、ＡＭＧＭ−Ｃ−ＡＤＴ、ＡＭＧＭ−ＡＣＢＵ−ＡＤＭＡＰを省略してもよい。
【０１０８】
【発明の効果】
以上説明したように本発明によれば、マルチチャネルと２チャネルステレオを記録する場合、マルチチャネルを２グループに分けて異なるサンプリング周波数で量子化して記録できるため一定の記録容量の中で記録時間を調整でき、更に言語を選択できるメニュー等と共に記録できるため使い勝手が向上する。
【図面の簡単な説明】
【図１】ＤＶＤ−ビデオのフォーマットと、本発明に係るＤＶＤ−オーディオのフォーマットの一実施形態を示す説明図である。
【図２】図１のオーディオマネージャ（ＡＭＧ）のフォーマットを詳しく示す説明図である。
【図３】図１のオーディオタイトルセット（ＡＴＳ）のフォーマットを詳しく示す説明図である。
【図４】図２のオーディオマネージャインフォメーション（ＡＭＧＩ）のフォーマットを詳しく示す説明図である。
【図５】図４のオーディオタイトルセット・アトリビュートテーブル（ＡＴＳ−ＡＴＲＴ）のフォーマットを詳しく示す説明図である。
【図６】図５のオーディオタイトルセット・アトリビュートデータ（ＡＴＳ−ＡＴＲ）のフォーマットを詳しく示す説明図である。
【図７】図３のオーディオタイトルセットインフォメーション（ＡＴＳＩ）のフォーマットを詳しく示す説明図である。
【図８】図７のオーディオタイトルセットインフォメーション・マネージメントテーブル（ＡＴＳＩ−ＭＡＴ）のフォーマットを詳しく示す説明図である。
【図９】図８のオーディオタイトルセットメニュー・オーディオストリーム・アトリビュートデータ（ＡＴＳＭ−ＡＳＴ−ＡＴＲ）を詳しく示す説明図である。
【図１０】図８のオーディオタイトルセット・オーディオストリーム・アトリビュートテーブル（ＡＴＳ−ＡＳＴ−ＡＴＲＴ）のフォーマットを詳しく示す説明図である。
【図１１】図１０の各オーディオストリームのアトリビュートデータ（ＡＴＳ−ＡＳＴ−ＡＴＲ）を詳しく示す説明図である。
【図１２】図１のオーディオコンテンツブロックユニット（ＡＣＢＵ）を示す説明図である。
【図１３】図１２のオーディオパックとビデオパックのフォーマットを詳しく示す説明図である。
【図１４】図１２のオーディオコントロール（Ａ−ＣＯＮＴ）パックのフォーマットを詳しく示す説明図である。
【図１５】図１４のオーディオキャラクタディスプレイ（ＡＣＤ）エリアのフォーマットを詳しく示す説明図である。
【図１６】図１５のネームスペース情報により表示される例を示す説明図である。
【図１７】図１４のオーディオサーチデータ（ＡＳＤ）エリアのフォーマットを詳しく示す説明図である。
【図１８】図１のオーディオコンテンツブロックユニットの変形例を示す説明図である。
【図１９】本発明に係るＤＶＤ−オーディオディスクの再生装置を示すブロック図である。
【図２０】図１９の再生装置を機能的に示すブロック図である。
【図２１】第２の実施形態におけるオーディオマネージャインフォメーション（ＡＭＧＩ）のフォーマットを詳しく示す説明図である。
【図２２】図２１のＴＯＣ情報を詳しく示す説明図である。
【図２３】第２の実施形態の変形例におけるオーディオタイトルセットインフォメーション（ＡＴＳＩ）のフォーマットを詳しく示す説明図である。
【図２４】第２の実施形態のＤＶＤ−オーディオディスクの再生装置を示すブロック図である。
【図２５】図２４の再生装置を機能的に示すブロック図である。
【図２６】第３の実施形態におけるＴＯＣ情報と再生装置を示すブロック図である。
【図２７】Ａ−Ｖ同期再生処理を説明するためのフローチャートである。
【図２８】Ａ−Ｖ同期再生処理を説明するためのフローチャートである。
【図２９】第４の実施形態としてＤＶＤ−Ｖａｎディスクの基本フォーマットを示す説明図である。
【図３０】図２９の実施形態のＡＣＢＵ及びＶＣＢＵを示す説明図である。
【図３１】第４の実施形態のＡＣＤ（オーディオキャラクタディスプレイ）情報の他の例を示す説明図である。
【図３２】第４の実施形態のＡＳＤ（オーディオサーチデータ）を示す説明図である。
【図３３】図２９のＣＯＮＴパックを詳しく示す説明図である。
【図３４】図３３のＰＣＩデータを詳しく示す説明図である。
【図３５】図３４のＰＣＩ一般情報を詳しく示す説明図である。
【図３６】図３４の記録情報を詳しく示す説明図である。
【図３７】図３３のＤＳＩを詳しく示す説明図である。
【図３８】図３７のＤＳＩ一般情報を詳しく示す説明図である。
【図３９】図３７のシームレス再生情報を詳しく示す説明図である。
【図４０】図３７のシームレス用アングル情報によるシームレス・アングル変更の概念を示す説明図である。
【図４１】図３７のＶＯＢＵサーチ情報の一例を示す説明図である。
【図４２】図３７のＶＯＢＵサーチ情報を詳しく示す説明図である。
【図４３】図３７の同期情報を詳しく示す説明図である。
【図４４】第１〜第４の実施形態のリードインエリアの構成を示す説明図である。
【図４５】図４４のコントロールデータブロックを詳しく示す説明図である。
【図４６】図３５のフィジカル・フォーマット・インフォメーションを詳しく示す説明図である。
【図４７】第４の実施形態のディスク再生装置を示すブロック図である。
【図４８】第４の実施形態のディスク再生装置の再生処理を示すフローチャートである。
【図４９】第４の実施形態のＡＭＧＩ内のテキストデータマネージャ（ＴＸＴＤＴ−ＭＧ）を詳しく示す説明図である。
【図５０】図４９のオーディオ・テキスト・データ言語ユニット（ＡＴＸＴＤＴ−ＬＵ）＃１〜＃ｎを詳しく示す説明図である。
【図５１】図５０のオーディオ・テキスト・データ（ＡＴＸＴＤＴ）を詳しく示す説明図である。
【図５２】第４の実施形態のオーディオテキストデータの表示処理を示すフローチャートである。
【図５３】第４の実施形態のオーディオ・マネージャ・メニューＰＧＣＩユニットテーブル（ＡＭＧＭ−ＰＧＣＩ−ＵＴ）を詳しく示す説明図である。
【図５４】図５３のオーディオ・マネージャ・メニュー言語ユニットを詳しく示す説明図である。
【図５５】図５３のオーディオ・マネージャ・メニュー言語ユニットの一例を示す説明図である。
【図５６】図５３のオーディオ・マネージャ・メニュー言語ユニットの表示処理を示すフローチャートである。
【図５７】第４の実施形態のＡＭＧＩの変形例を示す説明図である。
【符号の説明】
Ａ  オーディオパック（第１のパック）
Ａ−ＣＯＮＴ  オーディオコントロールパック（第２のパック）
Ｖ  ビデオパック（第３のパック）
ＣＯＮＴ  ビデオコントロールパック（第４のパック）
１  ＤＶＤオーディオディスク
３  ＣＯＮＴパック検出部（Ｖパックバッファ４、バッファ取り出し部５、画像変換部６、Ｄ／Ａ変換部７及びパラメータ部８と共に第２の再生手段を構成する。）
４  Ｖパックバッファ
５、１１  バッファ取り出し部
６  画像変換部
７、１３  Ｄ／Ａ変換部
８、１４  パラメータ部
９  Ａ−ＣＯＮＴパック検出部（Ａパックバッファ１０、バッファ取り出し部１１、ＰＣＭ変換部１２、Ｄ／Ａ変換部１３及びパラメータ部１４と共に第１の再生手段を構成する。）
１０  Ａパックバッファ
１２  ＰＣＭ変換部
１４Ａ  ＴＯＣ情報記憶メモリ